(57)【要約】【課題】テレビ受信機で視聴した番組および携帯端末で視聴した番組を統合的に扱い、よりユーザの嗜好を反映した嗜好番組の検索が行えるデジタル放送受信機、およびこのデジタル放送受信機を用いた視聴履歴統合システムを得ること。【解決手段】本発明におけるデジタル放送受信機は、デジタル放送を受信するデジタル放送受信機であって、放送予定の番組情報を取得する番組情報取得部１２と、視聴者の視聴履歴を取得する視聴履歴取得部２５と、他のデジタル放送受信機で取得した視聴履歴を受信する通信手段と、視聴履歴取得部２５で取得した視聴履歴と、他のデジタル放送受信機から取得した視聴履歴とを統合する視聴履歴統合部２７と、視聴履歴統合部２７で統合した視聴履歴をもとに放送予定の番組情報から番組を検索する検索部２６とを備える。【選択図】図２
2008288751.tif 000002
【特許請求の範囲】
【請求項１】
デジタル放送を受信するデジタル放送受信機であって、
放送予定の番組情報を取得する番組情報取得部と、
視聴者の視聴履歴を取得する視聴履歴取得部と、
他のデジタル放送受信機で取得した視聴履歴を受信する通信手段と、
前記視聴履歴取得部で取得した視聴履歴と、前記他のデジタル放送受信機から取得した視聴履歴とを統合する視聴履歴統合部と、
前記視聴履歴統合部で統合した視聴履歴をもとに前記放送予定の番組情報から番組を検索する検索部と、を備えるデジタル放送受信機。
【請求項２】
前記放送予定の番組情報、前記視聴履歴手段で取得した視聴履歴、および前記視聴履歴統合部で統合した視聴履歴を蓄積する蓄積部をさらに備える請求項１記載のデジタル放送受信機。
【請求項３】
前記通信手段は、前記視聴履歴取得部で取得した視聴履歴を他のデジタル放送受信機へ送信可能とする請求項１または２記載のデジタル放送受信機。
【請求項４】
前記視聴履歴取得部および他のデジタル放送受信機から取得する視聴履歴は、少なくとも視聴者が視聴するテレビ番組の視聴チャンネル、視聴開始時刻、視聴継続時間または視聴終了時刻を含む請求項１から３のいずれかに記載のデジタル放送受信機。
【請求項５】
前記視聴履歴統合部は、前記視聴履歴取得部で取得した視聴履歴の後に、前記他のデジタル放送受信機から取得した視聴履歴を追加して視聴履歴を統合する請求項１から４のいずれかに記載のデジタル放送受信機。
【請求項６】
前記視聴履歴統合部は、前記他のデジタル放送受信機から取得した視聴履歴の後に、前記視聴履歴取得部で取得した視聴履歴を追加して視聴履歴を統合する請求項１から４のいずれかに記載のデジタル放送受信機。
【請求項７】
前記検索部は、前記放送予定の番組情報のうち、前記統合した視聴履歴に含まれる視聴チャンネルと同じチャンネルで、多くとも視聴開始時刻から視聴終了時刻の間に含まれる番組を視聴者の好みの番組と判定する請求項４から６のいずれかに記載のデジタル放送受信機。
【請求項８】
デジタル放送を受信する携帯端末のデジタル放送受信機であって、
視聴者の視聴履歴を取得する視聴履歴取得部と、
前記視聴履歴取得部で取得した視聴履歴を他のデジタル放送受信機に送信する通信手段と、を備えるデジタル放送受信機。
【請求項９】
前記通信手段は、他のデジタル放送受信機で取得した視聴履歴を受信可能とし、
放送予定の番組情報を取得する番組情報取得部と、
前記視聴履歴取得部で取得した視聴履歴と、前記他のデジタル放送受信機から取得した視聴履歴とを統合する視聴履歴統合部と、
前記視聴履歴統合部で統合した視聴履歴をもとに前記放送予定の番組情報から番組を検索する検索部と、をさらに備える請求項８記載のデジタル放送受信機。
【請求項１０】
前記放送予定の番組情報、前記視聴履歴手段で取得した視聴履歴、および前記視聴履歴統合部で統合した視聴履歴を蓄積する蓄積部をさらに備える請求項８または９記載のデジタル放送受信機。
【請求項１１】
前記視聴履歴取得部および他のデジタル放送受信機から取得する視聴履歴は、少なくとも視聴者が視聴するテレビ番組の視聴チャンネル、視聴開始時刻、視聴継続時間または視聴終了時刻を含む請求項８から１０のいずれかに記載のデジタル放送受信機。
【請求項１２】
前記視聴履歴統合部は、前記視聴履歴取得部で取得した視聴履歴の後に、前記他のデジタル放送受信機から取得した視聴履歴を追加して視聴履歴を統合する請求項９から１１のいずれかに記載のデジタル放送受信機。
【請求項１３】
前記視聴履歴統合部は、前記他のデジタル放送受信機から取得した視聴履歴の後に、前記視聴履歴取得部で取得した視聴履歴を追加して視聴履歴を統合する請求項９から１１のいずれかに記載のデジタル放送受信機。
【請求項１４】
前記検索部は、前記放送予定の番組情報のうち、前記統合した視聴履歴に含まれる視聴チャンネルと同じチャンネルで、多くとも視聴開始時刻から視聴終了時刻の間に含まれる番組を視聴者の好みの番組と判定する請求項１１から１３のいずれかに記載のデジタル放送受信機。
【請求項１５】
請求項１から７のいずれかに記載のデジタル放送受信機と、請求項８から１４のいずれかに記載のデジタル放送受信機を備え、各デジタル放送受信機で視聴した視聴履歴を統合する視聴履歴統合システム。
【発明の詳細な説明】
【技術分野】
【０００１】
本発明は、デジタル放送を受信するデジタル放送受信機、およびこのデジタル放送受信機を用いて視聴した視聴履歴を元にユーザの嗜好番組を検索する視聴履歴統合システムに関するものである。
【背景技術】
【０００２】
従来技術において、デジタル放送を受信するテレビ受信機で視聴した番組をユーザの視聴履歴として蓄積し、この視聴履歴をテレビ受信機一体型携帯端末（以下、携帯端末と記載）で受信して、この情報に基づき、ユーザが希望する番組を外出先などの遠隔地より携帯端末からテレビ受信機へ予約することが出きるTV番組予約システムがある（下記特許文献１参照）。このTV番組予約システムによれば、テレビ受信機は、ユーザの視聴番組履歴情報を蓄積し、この視聴番組履歴情報を携帯端末からの指示に基づき携帯端末へ転送する。携帯端末は、この番組情報を受信し、表示部に番組情報を表示し、ユーザにこの番組情報を伝達する。ユーザは、表示された番組情報を確認して、希望する番組を番組予約指示部に指示することにより、携帯端末からテレビ受信機へ予約指示のデータが転送されて、テレビ受信機の番組予約登録部に予約番組内容が登録され、遠隔地からの予約を可能にしている。
【０００３】
【特許文献１】特開２００１−１０３４０６号公報
【発明の開示】
【発明が解決しようとする課題】
【０００４】
しかしながら、特許文献１に記載のTV番組予約システムでは、携帯端末がデジタル放送を受信し表示できるテレビ受信機一体型携帯端末である場合、テレビ受信機一体型携帯端末で視聴した視聴履歴をテレビ受信機に蓄積される視聴履歴に反映できないという問題があった。
【０００５】
そこで本発明はかかる問題を解決するためになされたものであり、テレビ受信機で視聴した番組および携帯端末で視聴した番組を統合的に扱い、よりユーザの嗜好を反映した嗜好番組の検索が行えるデジタル放送受信機、およびこのデジタル放送受信機を用いた視聴履歴統合システムを得ることを目的としている。
【課題を解決するための手段】
【０００６】
本発明におけるデジタル放送受信機は、デジタル放送を受信するデジタル放送受信機であって、放送予定の番組情報を取得する番組情報取得部と、視聴者の視聴履歴を取得する視聴履歴取得部と、他のデジタル放送受信機で取得した視聴履歴を受信する通信手段と、前記視聴履歴取得部で取得した視聴履歴と、前記他のデジタル放送受信機から取得した視聴履歴とを統合する視聴履歴統合部と、前記視聴履歴統合部で統合した視聴履歴をもとに前記放送予定の番組情報から番組を検索する検索部とを備える。
【０００７】
本発明の他の態様におけるデジタル放送受信機は、デジタル放送を受信する携帯端末のデジタル放送受信機であって、視聴者の視聴履歴を取得する視聴履歴取得部と、前記視聴履歴取得部で取得した視聴履歴を他のデジタル放送受信機に送信する通信手段とを備える。
【発明の効果】
【０００８】
請求項１に記載のように、他の機器からの視聴履歴を受信する通信手段、視聴履歴を統合する統合部を備えることで、複数の機器でテレビ番組を視聴した場合、それぞれの機器で蓄積されている視聴履歴の送受信を行い、視聴履歴を統合することができる。この統合した視聴履歴を用いて視聴者の嗜好番組を検索することで、よりユーザの嗜好を反映した嗜好番組を検索することが可能となる。
【０００９】
請求項８に記載のように、携帯端末のデジタル放送受信機で視聴していた場合においても、この視聴履歴を他のデジタル放送受信機に送信することで、ユーザの嗜好番組を検索するときに携帯端末で視聴した視聴履歴も反映することが出きる。これにより、よりユーザの嗜好を反映した嗜好番組を検索することが可能となる。
【発明を実施するための最良の形態】
【００１０】
［実施の形態１］
図１は、本発明の実施の形態１における視聴履歴統合システムを示した概略図である。視聴履歴統合システムは、デジタル放送を受信するテレビ受信機１とテレビ受信機一体型携帯端末２（以下、携帯端末２と記載）とからなる。本発明の実施の形態１における視聴履歴統合システムは、携帯端末２で視聴した視聴履歴をテレビ受信機１へ送信し、テレビ受信機１は、テレビ受信機１で視聴した視聴履歴と携帯端末２から送信される視聴履歴を統合し、この統合した視聴履歴を元に放送予定の番組情報から視聴者が好む番組を検索するシステムである。
【００１１】
図２は、図１に示したテレビ受信機１と携帯端末２の構成を示したブロック図である。テレビ受信機１は、テレビ信号を受信するアンテナ１０、アンテナ１０で受信したテレビ信号から視聴するチャンネルを選局して映像および音声信号を出力するチューナ１１、チューナ１１から出力される映像信号および音声信号に基づく映像と音声を出力する表示部１３、チューナ１１へ番組の選局などの指示を行うリモコン１４、視聴者が操作するリモコン１４からの信号を入力するためのインターフェース（I／F）１５を備え、一般的なテレビ機能を有している。
【００１２】
テレビ受信機１は、さらに、チューナ１１から出力される信号に含まれる放送予定番組の番組情報を取得する番組情報取得部１２、リモコン１４または本体操作部（図示しない）からの指示に従いチューナ１１の制御（視聴番組の選局）や視聴者の嗜好番組の検索などを行う制御部１６、携帯端末２で蓄積した視聴履歴を受信する通信手段（以下、視聴履歴受信部２０と記載）、放送予定の番組情報や視聴履歴などを蓄積する蓄積部１７を備えている。
【００１３】
制御部１６は、テレビ受信機１で視聴した番組の視聴履歴を取得する視聴履歴取得部２５、視聴履歴取得部２５で取得した視聴履歴と、携帯端末２で取得した視聴履歴とを統合する視聴履歴統合部２７、視聴履歴統合部２７で統合した視聴履歴をもとに放送予定の番組情報から番組を検索する検索部２６を備えている。
【００１４】
携帯端末２は、テレビ信号を受信するアンテナ５０、アンテナ５０で受信したテレビ信号から視聴するチャンネルを選局して映像および音声信号を出力するチューナ５１、チューナ５１から出力される映像信号および音声信号に基づく映像と音声を出力する表示部５３を備え、一般的なテレビ機能を有している。
【００１５】
携帯端末２は、さらに、チューナ５１から出力される信号に含まれる放送予定番組の番組情報を取得する番組情報取得部５２、本体操作部（図示しない）からの指示に従いチューナ５１の制御（視聴番組の選局）やユーザの視聴履歴を取得する制御部５６、視聴履歴をテレビ受信機１に送信する通信手段（以下視聴履歴送信部６０と記載）、放送予定の番組情報や視聴履歴などを蓄積する蓄積部５７を備えている。
【００１６】
制御部５６は、携帯端末２で視聴した番組の視聴履歴を取得する視聴履歴取得部６５を備えている。
【００１７】
なお、番組情報取得部１２および番組情報取得部５２は、番組時間情報と番組チャンネル情報とを含む放送予定番組情報を取得する。ここで、番組時間情報は、放送予定の番組の番組開始時刻、番組放送時間を算出するための番組終了時刻または放送継続時間の時間情報である。番組チャンネル情報は、放送予定の番組のチャンネル情報である。また、番組情報取得部１２および番組情報取得部５２は、受信した放送信号から番組情報を取得するだけでなく、インターネット経由で取得するなどのように、放送信号とは異なる信号として取得しても良い。
【００１８】
蓄積部１７および蓄積部５７に記録される放送予定番組の番組情報は、それぞれの番組に対応した放送チャンネル、番組名、ジャンル、放送開始時刻、放送継続時間（または放送終了時刻）等の情報を含む。なお、放送継続時間は、放送開始時刻から放送終了時刻までの間の時間である。また、番組情報が放送開始時刻および放送継続時間を含むが、放送終了時刻を含まない場合は、放送開始時刻に放送継続時間を加算することによって放送終了時刻を算出する。
【００１９】
テレビ受信機１を構成する番組情報取得部１２、制御部１６、蓄積部１７、視聴履歴受信部２０、および携帯端末２を構成する番組情報取得部５２、制御部５６、蓄積部５７、視聴履歴送信部６０により本発明の視聴履歴統合システムを構成している。
【００２０】
図３は、テレビ受信機１におけるユーザの視聴履歴の蓄積方法を示したフローチャートである。フローチャートに示す処理は、視聴履歴取得部２５がプログラムを用いて実行する。このプログラムは、制御部１６によってテレビ受信機１の電源が投入されるときに呼び出され、電源が入っている間は動作を続けている。
【００２１】
次に、図３を参照して動作について説明する。視聴履歴取得部２５は、テレビ受信機１の電源を投入することにより動作が開始し、内蔵されている時計から現在時刻Taを取得し（S１００）、ユーザからの操作待ちとなる（S１０１）。ユーザによる操作が行われると操作内容の分析が行われ（S１０２）、ユーザの操作がチャンネル切替または電源OFFの場合は、チャンネルを切り替える前のチャンネル情報CH１と現在時刻Tbを取得し（S１０３）、蓄積部１７に視聴履歴を蓄積する（S１０４）。ここでS１０２において、ユーザの操作がチャンネル切替や電源OFFではない場合はS１０１へ戻り、ユーザの操作待ちとなる。次に、S１０５において、ユーザの操作が電源OFFの場合はプログラムを終了し、チャンネル切替の場合は、S１０１に戻り、ユーザの操作待ちとなる。
【００２２】
図４は、蓄積部１７に蓄積する視聴履歴の一例である。S１００で現在時刻Taを取得すると、視聴開始時刻にTaを一時記憶する。次にS１０２においてユーザの操作がチャンネルの切り替わりか電源がOFFされるとS１０３でチャンネル情報CH１と時刻Tbを取得し、視聴チャンネルにCH１、視聴終了時刻にTbを一時記憶する。この一時記憶したCH１、Ta、Tbをユーザの視聴履歴として、S１０４にて記憶部１７に蓄積する。また、S１０３にて取得した時刻Tbは、次の視聴開始時刻として一時記憶する。
【００２３】
図５は、携帯端末２におけるユーザの視聴履歴の蓄積方法を示したフローチャートである。フローチャートに示す処理は、視聴履歴取得部６５がプログラムを用いて実行する。このプログラムは、携帯端末２のテレビ視聴用のアプリケーションが起動されると制御部５６によって呼び出され、テレビ視聴用のアプリケーションが起動される間は動作を続けている。
【００２４】
次に、図５を参照して動作について説明する。視聴履歴取得部６５は、携帯端末２のテレビ視聴用アプリケーションが起動されると動作を開始し、内蔵されている時計から現在時刻taを取得し（S２００）、ユーザからの操作待ちとなる（S２０１）。ユーザによる操作が行われると操作内容の分析が行われ（S２０２）、ユーザの操作がチャンネル切替または視聴アプリケーション終了の場合は、チャンネルを切り替える前のチャンネル情報ch１と現在時刻tbを取得し（S２０３）、蓄積部５７に視聴履歴を蓄積する（S２０４）。ここでS２０２において、ユーザの操作がチャンネル切替やアプリケーション終了でない場合はS２０１へ戻り、ユーザの操作待ちとなる。次に、S２０５において、ユーザの操作がアプリケーション終了の場合はプログラムを終了し、チャンネル切替の場合は、S２０１に戻り、ユーザの操作待ちとなる。
【００２５】
図６は、蓄積部５７に蓄積する視聴履歴の一例である。S２００で現在時刻taを取得すると、視聴開始時刻にtaを一時記憶する。次にS２０２においてユーザの操作がチャンネルの切り替わりかアプリケーション終了の場合はS２０３でチャンネル情報ch１と時刻tbを取得し、視聴チャンネルにch１、視聴終了時刻にtbを一時記憶する。この一時記憶したch１、ta、tbをユーザの視聴履歴として、S２０４にて記憶部５７に蓄積する。また、S２０３にて取得した時刻tbは、次の視聴開始時刻として一時記憶する。
【００２６】
以上のように、テレビ受信機１で視聴したユーザの視聴履歴は蓄積部１７に蓄積され、携帯端末２で視聴したユーザの視聴履歴は蓄積部５７に蓄積される。
【００２７】
次に、蓄積部１７に蓄積された視聴履歴と蓄積部５７に蓄積された視聴履歴を統合する構成について説明する。蓄積部５７に蓄積された視聴履歴は、視聴履歴送信部６０と視聴履歴受信部２０を通じて制御部１６に送信される。制御部１６は、視聴履歴統合部２７を呼び出し、携帯端末２より送信される視聴履歴と、蓄積部１７に蓄積した視聴履歴の統合を行う。統合した視聴履歴は蓄積部１７に蓄積する。以上のように、蓄積部１７にテレビ受信機１の視聴履歴のみならず、携帯端末２の視聴履歴も蓄積することで、携帯端末２で視聴した視聴履歴を嗜好番組検索時に反映することができる。
【００２８】
図４は蓄積部１７に蓄積した視聴履歴、図６は蓄積部５７に蓄積した視聴履歴であるとし、以下に統合の方法を示す。図７は、蓄積部１７に蓄積した視聴履歴の最後に、蓄積部５７に蓄積した視聴履歴を追加する方法である。図８は、蓄積部５７に蓄積した視聴履歴の最後に、蓄積部１７に蓄積した視聴履歴を追加する方法である。図９は、視聴開始時刻を比較して、時刻の早い順に並べる方法である（視聴開始時刻taが視聴開始時刻Taよりも早い場合）。図１０は、視聴開始時刻を比較して、時刻の遅い順に並べる方法である（視聴開始時刻taが視聴開始時刻Taよりも遅い場合）。このように視聴履歴を統合することで、携帯端末２で視聴した視聴履歴を嗜好番組検索時に反映することができる。
【００２９】
また、視聴履歴送信部６０から視聴履歴受信２０への視聴履歴の送信は、例えば赤外線やBluetoothなどを利用することで実現可能である。その他、シリアルケーブルやUSBケーブルなどを用いた有線による方法、あるいは、ブリッジメディアと呼ばれるSDカードやメモリスティックなどにより実現可能である。あるいはインターネット網を利用したネットワークによる方法、あるいはメールの送受信による方法により実現可能である。
【００３０】
図１１は、統合した視聴履歴からユーザの嗜好番組を検索する方法を示したフローチャートである。フローチャートに示す処理は、検索部２６がプログラムを用いて実行する。このプログラムは、リモコン１４に嗜好番組を表示するためのボタン（図示せず）が用意されている場合は、そのボタンが押されたとき、また、表示部１３に嗜好番組を表示するための画面を用意した場合は、その画面が選択された場合に呼び出される。
【００３１】
次に図１１を参照して動作について説明する。検索部２６は、嗜好番組検索の指示があると視聴履歴を蓄積部１７から読み出し（S３００）、さらに蓄積部１７に蓄積されている放送予定の番組情報を読み出す（S３０１）。次に、視聴履歴に記録されている視聴チャンネル、視聴開始時刻、視聴終了時刻を元に放送予定の番組情報から当てはまる番組を検索する。すなわち、視聴履歴に記録されている視聴チャンネルで放送され、かつ視聴開始時刻と視聴終了時刻の間に放送される番組を検索する（S３０２）。視聴開始時刻と視聴終了時刻の間に放送される番組が見つかった場合は、見つかった番組全てをユーザの好みの番組であると判断して登録する（S３０３）。一方、視聴開始時刻と視聴終了時刻の間に放送される番組が見つからなかった場合は、放送予定の番組がないことを意味するので、ユーザの好みの番組はないと判断して登録する（S３０４）。次に、視聴履歴に記録されている内容を全て検索したかの判断が行われ（S３０５）、プログラムを終了する。ここで、視聴履歴に記録されている内容を全てを検索していないと判断された場合は（S３０５）、S３０１へと戻り、次に記録されている内容について検索を行う。
【００３２】
図１１に示すフローチャートにおいて、例えば前の日の視聴履歴を元に翌日の嗜好番組を検索する具体的な検索方法について説明する。読み出した視聴履歴（S３００）が図７に示すものであった場合、チャンネルCH１で放送され、かつ翌日の時刻TaからTbの間に放送される番組を、蓄積部１７に蓄積した放送予定番組の番組情報から検索する（S３０２）。検索した結果、時刻TaからTbの間に放送される番組があった場合は、見つかった番組をユーザの好みの番組として登録する（S３０３）。次に、S３００にて読み出した視聴履歴の内容について検索が全て終わっていないため（S３０５）、S３０１へと戻り、チャンネルch１で放送され、かつ翌日の時刻taからtbの間に放送される番組を検索する（S３０２）。検索した結果、番組が見つかった場合はユーザの好みの番組として登録する（S３０３）。次に、S３００にて読み出した視聴履歴の内容について検索が全て終了したため（S３０５）、プログラムを終了する。以上の検索方法からユーザの好みの番組を検索することができる。
【００３３】
以上のように、テレビ受信機１で視聴した番組の視聴履歴と、携帯端末２で視聴した番組の視聴履歴から、ユーザの嗜好番組を検索するため、よりユーザの嗜好を反映することが可能となる。
【００３４】
また、本実施の形態における視聴履歴結合システムは、テレビ受信機１と携帯端末２の組み合わせで視聴履歴結合システムを説明したが、これに限るものではなく、テレビ受信機１とテレビ受信機１の組み合わせ、あるいはデジタル放送を受信可能なパーソナルコンピュータを組み合わせても良い。
【００３５】
また、本実施の形態における嗜好番組の検索方法は、前の日の視聴内容を元に、翌日の嗜好番組を検索する検索方法について説明したが、これに限るものではなく、曜日ごとに嗜好番組を検索する方法、すなわち、前の週の検索内容をもとに次の週の同じ曜日の嗜好番組を検索する方法でも良い。
【００３６】
また、本実施の形態における統合方法は、蓄積部５７に蓄積した視聴履歴と、蓄積部１７に蓄積した視聴履歴を視聴履歴統合部２７において統合した結果として図７〜図１０を例にあげたがこれに限るものではなく、そのほかの統合方法であっても良い。
【００３７】
また、本実施の形態における番組時間情報は、蓄積部１７および蓄積部５７に蓄積する視聴履歴には視聴終了時刻を記録するとしたが、視聴を継続した時間を記録するとしても良い。
【００３８】
また、本実施の形態における視聴履歴は、蓄積部１７および蓄積部５７に蓄積する視聴履歴には、視聴チャンネルと視聴開始時刻および視聴終了時刻を記録するとしたが、これに限るものではなく、例えば番組タイトルなど、番組情報取得部１２および番組情報取得部５２で取得する番組情報のうち、視聴した番組情報の一部あるいは全部を記録するとしても良い。
【００３９】
また、本実施の形態における嗜好番組の判断は、視聴履歴を参照し、視聴チャンネルで放送される番組のうち、視聴開始時刻と視聴終了時刻の間に放送される番組の全てをユーザの好みの番組と判断するとしたが、これに限られるものではない。
【００４０】
また、本実施の形態では、視聴履歴に蓄積する対象をユーザが視聴した番組のみとしたが、これに限られるものではなく、録画を行った番組についても視聴履歴として蓄積するようにしても良い。
【００４１】
［実施の形態２］
本実施の形態における視聴履歴統合システムは、テレビ受信機１に蓄積した視聴履歴を携帯端末２でも統合可能とし、携帯端末２でも嗜好番組の検索を可能としたものである。
【００４２】
図１２は、本実施の形態の視聴履歴統合システムにおけるテレビ受信機１と携帯端末２の構成を示したブロック図である。実施の形態１と異なる点について説明する。携帯端末２は、テレビ受信機１で蓄積する視聴履歴と携帯端末２で蓄積する視聴履歴に基づき、ユーザの嗜好番組の抽出などを行う制御部１１０を備えている。
【００４３】
制御部１１０は、視聴履歴取得部６５で取得した視聴履歴と、テレビ受信機１で取得した視聴履歴とを統合する視聴履歴統合部１１７、視聴履歴統合部１１７で統合した視聴履歴をもとに放送予定の番組情報から番組を検索する検索部１１６を備えている。
【００４４】
また、携帯端末２における通信手段は、携帯端末２で視聴した視聴履歴をテレビ受信機１に送信するだけでなく、テレビ受信機１で視聴した視聴履歴を受信可能とする視聴履歴送受信部１２０である。
【００４５】
テレビ受信機１における通信手段は、携帯端末２で視聴した視聴履歴を受信するだけでなく、テレビ受信機１で視聴した視聴履歴を携帯端末２へ送信可能とする視聴履歴送受信部１００である。
【００４６】
本実施の形態におけるテレビ受信機１によるユーザの嗜好番組検索方法については、実施の形態１と同様のため説明を省略する。携帯端末２における視聴履歴取得部６５のプログラムで実行されるユーザの視聴履歴の取得方法は、実施の形態１で示した図５の動作と同一のため説明を省略する。
【００４７】
蓄積部１７に蓄積した視聴履歴は、視聴履歴送受信部１００と視聴履歴送受信部１２０を通じて制御部１１０に送信される。制御部１１０は、視聴履歴統合部１１７を呼び出し、テレビ受信機１より送信される視聴履歴と、蓄積部５７に蓄積した視聴履歴の統合を行う。統合した視聴履歴は蓄積部５７に蓄積する。以上のように、蓄積部５７に携帯端末２の視聴履歴のみならず、テレビ受信機１の視聴履歴も蓄積することで、テレビ受信機１で視聴した視聴履歴を嗜好番組検索時に反映することができる。
【００４８】
図４は蓄積部１７に蓄積した視聴履歴、図６は蓄積部５７に蓄積した視聴履歴であるとすると、視聴履歴統合部１１７による視聴履歴の統合方法は、例えば、実施の形態１で説明したように図７〜１０である。
【００４９】
次に、図１３は、本実施の形態における携帯端末２におけるユーザの嗜好番組の検索方法を示すフローチャートである。フローチャートに示す処理は、検索部１１６がプログラムを用いて実行する。このプログラムは、携帯端末２の操作ボタン（図示せず）が用意されている場合、そのボタンが押されたときや、表示部５３に嗜好番組を表示するための画面を用意した場合、その画面が選択された場合に呼び出される。
【００５０】
次に図１３を参照して動作について説明する。検索部１１６は、嗜好番組検索の指示があると視聴履歴を蓄積部５７から読み出し（S４００）、さらに蓄積部５７に蓄積されている放送予定番組の情報を読み出す（S４０１）。次に、視聴履歴に記録されている視聴チャンネル、視聴開始時刻、視聴終了時刻を元に放送予定の番組情報から当てはまる番組を検索する。すなわち、視聴履歴に記録されている視聴チャンネルで放送され、かつ視聴開始時刻と視聴終了時刻の間に放送される番組を検索する（S４０２）。視聴開始時刻と視聴終了時刻の間に放送される番組が見つかった場合は、見つかった番組全てをユーザの好みの番組であると判断して登録する（S４０３）。一方、視聴開始時刻と視聴終了時刻の間に放送される番組が見つからなかった場合は、放送予定の番組がないことを意味するので、ユーザの好みの番組はないと判断して登録する（S４０４）。次に、視聴履歴に記録されている内容を全て検索したかの判断が行われ（S４０５）、プログラムを終了する。ここで、視聴履歴に記録されている内容全てを検索していないと判断された場合は（S４０５）、S４０１へと戻り、次に記録されている内容について検索を行う。
【００５１】
図１３に示すフローチャートにおいて、例えば前の日の視聴履歴を元に翌日の嗜好番組を検索する具体的な検索方法について説明する。読み出した視聴履歴（S４００）が図８に示すものであった場合、チャンネルch１で放送され、かつ翌日の時刻taからtbの間に放送される番組を、蓄積部5７に蓄積した放送予定番組の番組情報から検索する（S4０２）。検索した結果、時刻taからtbの間に放送される番組があった場合は、見つかった番組をユーザの好みの番組として登録する（４０３）。次に、S４００にて読み出した視聴履歴の内容について検索が全て終わっていないため（S４０５）、S４０１へと戻り、チャンネルch１で放送され、かつ翌日の時刻taからtbの間に放送される番組を検索する（S４０２）。検索した結果、番組が見つかった場合はユーザの好みの番組として登録する（S４０３）。S４００にて読み出した視聴履歴の内容について検索が全て終了したため（S４０５）、プログラムを終了する。以上の検索方法から、ユーザの好みの番組を判定することができる。
【００５２】
その他の構成・動作は実施の形態１と同様なため、説明を省略する。
【００５３】
以上のように、テレビ受信機１で視聴した番組の視聴履歴と、携帯端末２で視聴した番組の視聴履歴から、ユーザの嗜好番組を検索するため、よりユーザの嗜好を反映することが可能で、かつ、テレビ受信機１からも携帯端末２からも利用可能となる。
【００５４】
また、本実施の形態における視聴履歴結合システムは、テレビ受信機１と携帯端末２の組み合わせで視聴履歴結合システムを説明したが、これに限るものではなく、テレビ受信機１とテレビ受信機１の組み合わせ、あるいは携帯端末２と携帯端末２の組み合わせ、あるいはデジタル放送を受信可能なパーソナルコンピュータを組み合わせても良い。
【産業上の利用可能性】
【００５５】
本発明の活用例として、デジタル放送を受信するテレビ受信機やハードディスクレコーダなどの録画機と、デジタル放送を受信するテレビ受信機一体型携帯端末との組み合わせに適用できる。
【図面の簡単な説明】
【００５６】
【図１】本発明の実施の形態１における視聴履歴統合システムを示した概略図である。
【図２】本発明の実施の形態１におけるテレビ受信機と携帯端末の構成を示したブロック図である。
【図３】本発明の実施の形態１におけるテレビ受信機における視聴履歴の蓄積方法を示したフローチャートである。
【図４】本発明の実施の形態１におけるテレビ受信機の蓄積部に蓄積する視聴履歴の一例を示す図である。
【図５】本発明の実施の形態１における携帯端末における視聴履歴の蓄積方法を示したフローチャートである。
【図６】本発明の実施の形態１における携帯端末の蓄積部に蓄積する視聴履歴の一例を示す図である。
【図７】本発明の実施の形態１における視聴履歴の統合例を示す図である。
【図８】本発明の実施の形態１における視聴履歴の統合例を示す図である。
【図９】本発明の実施の形態１における視聴履歴の統合例を示す図である。
【図１０】本発明の実施の形態１における視聴履歴の統合例を示す図である。
【図１１】本発明の実施の形態１における嗜好番組を検索する方法を示したフローチャートである。
【図１２】本発明の実施の形態２におけるテレビ受信機と携帯端末の構成を示したブロック図である。
【図１３】本発明の実施の形態２における嗜好番組を検索する方法を示したフローチャートである。
【符号の説明】
【００５７】
１  テレビ受信機、２  テレビ受信機一体型携帯端末（携帯端末）、１０，５０  アンテナ、１１，５１  チューナ、１２，５２  番組情報取得部、１３，５３  表示部、１４  リモコン、１５  I／F、１６，５６，１１０  制御部、１７，５７  蓄積部、２０  視聴履歴受信部、２５，６５  視聴履歴取得部、２６，１１６  検索部、２７，１１７  視聴履歴統合部、６０  視聴履歴送信部、１００，１２０  視聴履歴送受信部。
【図１】
2008288751.tif 000003
【図２】
2008288751.tif 000004
【図３】
2008288751.tif 000005
【図４】
2008288751.tif 000006
【図５】
2008288751.tif 000007
【図６】
2008288751.tif 000008
【図７】
2008288751.tif 000009
【図８】
2008288751.tif 000010
【図９】
2008288751.tif 000011
【図１０】
2008288751.tif 000012
【図１１】
2008288751.tif 000013
【図１２】
2008288751.tif 000014
【図１３】
2008288751.tif 000015